(57)【要約】【課題】番組表情報と共にＣＭ情報を提供することが可能な検索処理システムを提供すること。【解決手段】サーバ装置２は、通信網を介して携帯電話１と通信可能であり、放送の番組情報を記憶する番組データベースおよび放送のＣＭ情報を記憶するＣＭデータベース３を備える。そして、携帯電話１からの要求に従って番組データベースから番組を抽出し、この番組と同時に放送されるＣＭをＣＭデータベースから抽出する。そして、抽出された番組およびＣＭ情報に基づき、検索結果ページデータを生成し、生成した検索結果ページデータを携帯電話１に送信する。ユーザは番組をキーとして関連するＣＭ情報を取得可能であり、ＣＭ広告主はユーザがＣＭの商品名等を正確に覚えていなくても、ＣＭの商品に関する詳細情報をユーザに提供することができる。【選択図】図１
2005332197.tif 000002
【特許請求の範囲】
【請求項１】
通信網を介して端末と通信可能なサーバ装置において、
放送の番組情報を記憶する番組データベース手段と、
放送のＣＭ情報を記憶するＣＭデータベース手段と、
ユーザの端末からの要求に従って前記番組データベース手段から前記番組情報を抽出する番組検索手段と、
抽出された前記番組情報の番組と同時に放送される前記ＣＭ情報を前記ＣＭデータベース手段から抽出するＣＭ検索手段と、
抽出された前記番組情報および前記ＣＭ情報に基づき、検索結果ページデータを生成するページデータ生成手段と、
生成した前記検索結果ページデータを前記ユーザの端末に送信する送信手段と
を備えたことを特徴とするサーバ装置。
【請求項２】
通信網を介して端末と通信可能なサーバ装置のコンピュータを、
放送の番組情報を記憶する番組データベース手段、
放送のＣＭ情報を記憶するＣＭデータベース手段、
ユーザの端末からの要求に従って前記番組データベース手段から前記番組情報を抽出する番組検索手段、
抽出された前記番組情報の番組と同時に放送される前記ＣＭ情報を前記ＣＭデータベース手段から抽出するＣＭ検索手段、
抽出された前記番組情報および前記ＣＭ情報に基づき、検索結果ページデータを生成するページデータ生成手段、
生成した前記検索結果ページデータを前記ユーザの端末に送信する送信手段
として機能させることを特徴とする検索処理プログラム。
【請求項３】
情報処理機能とデータ通信機能を有し、Ｗｅｂを閲覧可能なブラウザ手段を備えた携帯端末、および
放送の番組情報を記憶する番組データベース手段と、放送のＣＭ情報を記憶するＣＭデータベース手段と、前記携帯端末からの要求に従って前記番組データベース手段から前記番組情報を抽出する番組検索手段と、抽出された前記番組情報の番組と同時に放送される前記ＣＭ情報を前記ＣＭデータベース手段から抽出するＣＭ検索手段と、抽出された前記番組情報および前記ＣＭ情報に基づき、検索結果ページデータを生成するページデータ生成手段と、生成した前記検索結果ページデータを前記携帯端末に送信する送信手段とを備えた、通信網を介して前記携帯端末と通信可能なサーバ装置
からなることを特徴とする検索処理システム。
【請求項４】
ユーザの端末からの要求に従って番組データベースから番組情報を抽出するステップ、
抽出された前記番組情報の番組と同時に放送されるＣＭ情報をＣＭデータベースから抽出するステップ、
抽出された前記番組情報および前記ＣＭ情報に基づき、検索結果ページデータを生成するステップ、
生成した前記検索結果ページデータを前記ユーザの端末に送信するステップ
を含むことを特徴とする検索処理方法。
【発明の詳細な説明】
【技術分野】
【０００１】
本発明は、サーバ装置、検索処理プログラム、検索処理システムおよび検索処理方法に関するものであり、特に、番組表情報と共にＣＭ（コマーシャル）情報を提供することが可能なサーバ装置、検索処理プログラム、検索処理システムおよび検索処理方法に関するものである。
【背景技術】
【０００２】
従来、テレビ等の放送番組とネットワークに接続された端末との連動システムが各種提案されている。例えば、下記の特許文献１には、ＣＭ情報を含んだメールを受信した携帯電話機において、そのＣＭを録画する場合には、携帯電話機の赤外線通信機能を使用してビデオレコーダに録画予約信号を送出する技術が開示されている。
【特許文献１】再公表ＷＯ−０１／０８２６０２号公報
【発明の開示】
【発明が解決しようとする課題】
【０００３】
上記した従来の放送連動システムは、広告主側から一方的に送信されたメールに記載されているＣＭについて録画予約等を行うものであり、ユーザが自主的にＣＭを検索するものではない。従って、例えばユーザが所望のＣＭを録画したいという要求には応えられないという問題点があった。また、ユーザが番組と関連してどのようなＣＭが放送されているのかを調べることができないという問題点もあった。
【０００４】
本発明の目的は、上記したような問題点を解決し、番組表情報と共にＣＭ（コマーシャル）情報を提供することが可能なサーバ装置、検索処理プログラム、検索処理システムおよび検索処理方法を提供することにある。
【課題を解決するための手段】
【０００５】
本発明のサーバ装置は、通信網を介して端末と通信可能なサーバ装置において、放送の番組情報を記憶する番組データベース手段と、放送のＣＭ情報を記憶するＣＭデータベース手段と、ユーザの端末からの要求に従って前記番組データベース手段から前記番組情報を抽出する番組検索手段と、抽出された前記番組情報の番組と同時に放送される前記ＣＭ情報を前記ＣＭデータベース手段から抽出するＣＭ検索手段と、抽出された前記番組情報および前記ＣＭ情報に基づき、検索結果ページデータを生成するページデータ生成手段と、生成した前記検索結果ページデータを前記ユーザの端末に送信する送信手段とを備えたことを主要な特徴とする。
【０００６】
本発明の検索処理プログラムは、通信網を介して端末と通信可能なサーバ装置のコンピュータを、放送の番組情報を記憶する番組データベース手段、放送のＣＭ情報を記憶するＣＭデータベース手段、ユーザの端末からの要求に従って前記番組データベース手段から前記番組情報を抽出する番組検索手段、抽出された前記番組情報の番組と同時に放送される前記ＣＭ情報を前記ＣＭデータベース手段から抽出するＣＭ検索手段、抽出された前記番組情報および前記ＣＭ情報に基づき、検索結果ページデータを生成するページデータ生成手段、生成した前記検索結果ページデータを前記ユーザの端末に送信する送信手段として機能させることを主要な特徴とする。
【０００７】
本発明の検索処理システムは、情報処理機能とデータ通信機能を有し、Ｗｅｂを閲覧可能なブラウザ手段を備えた携帯端末、および放送の番組情報を記憶する番組データベース手段と、放送のＣＭ情報を記憶するＣＭデータベース手段と、前記携帯端末からの要求に従って前記番組データベース手段から前記番組情報を抽出する番組検索手段と、抽出された前記番組情報の番組と同時に放送される前記ＣＭ情報を前記ＣＭデータベース手段から抽出するＣＭ検索手段と、抽出された前記番組情報および前記ＣＭ情報に基づき、検索結果ページデータを生成するページデータ生成手段と、生成した前記検索結果ページデータを前記携帯端末に送信する送信手段とを備えた、通信網を介して前記携帯端末と通信可能なサーバ装置からなることを主要な特徴とする。
【０００８】
本発明の検索処理方法は、ユーザの端末からの要求に従って番組データベースから番組情報を抽出するステップ、抽出された前記番組情報の番組と同時に放送されるＣＭ情報をＣＭデータベースから抽出するステップ、抽出された前記番組情報および前記ＣＭ情報に基づき、検索結果ページデータを生成するステップ、生成した前記検索結果ページデータを前記ユーザの端末に送信するステップを含むことを主要な特徴とする。
【発明の効果】
【０００９】
本発明は上記のような特徴によって、ユーザに番組表情報と共に関連するＣＭ情報を提供することができるので、ユーザは番組をキーとして関連するＣＭ情報を取得可能である。従って、ユーザがＣＭの商品名や会社名を正確に覚えていなくても、ＣＭの広告主がそのユーザに番組中のＣＭの商品に関するより詳細な情報を提供することができるという効果がある。
【発明を実施するための最良の形態】
【００１０】
以下、本発明を実施するための最良の形態について、図面を参照して詳細に説明する。本実施の形態では、携帯端末として携帯電話機を使用する例を開示する。但し、本発明はインターネットに接続してＷｅｂ閲覧が可能な任意の携帯端末について適用可能である。
【００１１】
まずシステム全体の構成について説明する。図１は、本発明の実施例のシステム全体を示す概略構成図である。このシステムは、携帯端末の一種である携帯電話１とサーバ２が携帯電話網５およびインターネット４を介して接続可能に構成されている。携帯電話網５は、基地局９、パケット交換処理を司るパケット網６、インターネット４に接続されたゲートウェイサーバ７とを備え、携帯電話１とインターネット４との接続を可能にする。携帯電話１は、たとえば、HTTP（Hyper Text Transfer Protocol）によりＷｅｂ閲覧を可能にするＷｅｂブラウザやメールの送受信を行うメーラを標準装備しており、更にアプリケーションプログラムをダウンロードして記憶可能である。
【００１２】
サーバ２はデータベース（ＤＢ）３を備え、Ｗｅｂサーバ、メールサーバ、アプリケーションサーバ等の機能を有する。サーバ２はインターネット４、携帯電話網５を介して携帯電話１やパソコンなどのその他の端末と通信可能であり、携帯電話１からのアクセスに応じて後述するような処理を行う。データベース３は、サーバ２に接続されたデータベースシステムであり、ダウンロード用アプリ、ユーザ関連データ、コンテンツデータ等の各種データを記憶すると共にサーバ２からの要求に基づきサーバ２に必要なデータを提供する。
【００１３】
図２は、本実施の形態による携帯電話１の内部構成例を示すブロック図である。携帯電話１は、制御部２０、通信制御部２１、表示部２３、入力部２４、音声／サウンド制御部、時計部２８、記憶部３０を備え、各回路はバス２９によって接続されている。
【００１４】
情報処理機能を実現する制御部２０は、CPU、ROM、RAMなどを備え、ROMや記憶部３０に記憶された各種プログラムに従って携帯電話１全体の制御を行う。アプリケーションプログラムとしては、例えばＷｅｂ閲覧を制御するＷｅｂブラウザ、メールの送受信を制御するメーラープログラム、あるいはダウンロードされたアプリを実行可能である。記憶部３０は、例えば不揮発性のメモリからなり、上記した各種アプリやアプリで使用するデータ、待ち受け画像等の画像データ、着メロデータ、電話帳データなどをを記憶している。
【００１５】
アンテナ２２を備えた通信制御部２１は基地局との間のデータおよび音声通信機能を実行する。例えば液晶表示器を備えた表示部２３は制御部２０の制御によって文字や画像を表示する。入力部２４は、電話番号や文字を入力するためのダイヤルキー、メインメニューを呼び出したり、画面上の選択可能なアイコンに対して上下左右へカーソルを移動してアイコンを選択するためのセレクトキー、ダイヤルキーやセレクトキーで選択した項目を確定する確定キーなどを備える。
【００１６】
音声／サウンド制御部２５は、スピーカ２６およびマイク２７が接続されており、呼出音、着信メロ等のサウンド出力や通話時の音声出力、およびマイク２７からの音声入力を実行する。時計部２８は制御部２０に現在時刻情報を提供する。この他、赤外線通信機能、近距離無線通信機能、外部機器接続機能、（デジタル）テレビあるいは（デジタル）ラジオ受信機能、メモリカードスロット等を備えていてもよい。
【００１７】
図３は、本実施の形態によるサーバ２の内部構成例を示すブロック図である。サーバ２は、制御部４１、記憶部４２、通信制御部４３、データベースインターフェイス部４４、時計部４５等からなり、各回路はバス４６によって接続されている。制御部４１はCPU、ROM、RAMなどを備え、周知のＯＳ（Operating system）、サーバプログラムおよび本発明の機能を実現するプログラムを実行することにより、サーバ全体を制御する。
【００１８】
記憶部４２は例えばハードディスク装置を備え、ＯＳ、公知あるいは本発明による各種プログラム、データ等を記憶している。通信制御部４３は、図示しないルータやファイヤウォールサーバを介してインターネット４に接続され、インターネット４を介して携帯電話１などとの双方向通信を実行する。時計部４５は現在時刻を計時し、制御部４１に提供する。データベースインタフエース部４４はデ−タベース３に接続され、データベース２との間でデータ授受を行う。
【００１９】
以下に、本発明による番組連動処理の機能および動作を説明する。図５は、本発明の検索処理における携帯電話１およびサーバ２の処理内容を示すフローチャートである。縦線は時間の経過を示し、横点線は情報、データ、情報の移動を示している。まず、携帯端末側のブラウザによる処理について説明する。
【００２０】
Ｓ１０においては、携帯電話１においてブラウザを起動し、携帯電話１からサーバ２にアクセスする。サーバ２においては、Ｓ２０において初期画面である検索用のページを携帯電話１に送信する。携帯電話においては、Ｓ１１においてページデータを受信したか否かが判定され、判定結果が否定の場合にはＳ１３に移行するが、肯定の場合にはＳ１２に移行する。Ｓ１２においては、受信したページデータを表示する。
【００２１】
図４（ａ）は、携帯電話において表示された初期画面である検索画面の例を示す説明図である。画面５０には各種の検索条件の入力エリアがあり、ユーザはこの画面において所望の検索条件を入力あるいは選択して「検索」リンク５１を選択する。図４（ａ）においては、「ジャンル」および「出演者」の項目を入力した例を示している。
【００２２】
Ｓ１３においては、例えばユーザの操作に基づく新たなページ要求が有るか否かが判定され、判定結果が否定の場合にはＳ１５に移行するが、肯定の場合にはＳ１４に移行する。Ｓ１４においては、要求をサーバに送信する。Ｓ１５においては、ユーザによる終了操作の有無によって終了か否かが判定され、判定結果が肯定の場合には処理を終了するが、否定の場合にはＳ１１に戻る。
【００２３】
次に、サーバ側の処理について説明する。Ｓ２０においては、初期画面である検索用のページを携帯電話１に送信する。Ｓ２１においては、携帯電話からページ要求を受信する。Ｓ２２においては、携帯電話から要求された検索条件に基づき番組ＤＢを検索する。番組ＤＢには現在から将来に渡るテレビ番組のデータが登録されている。番組ＤＢのデータ項目は、例えば番組タイトル、地域、チャネル、放送局、放送年月日、開始時刻、終了時刻、ジャンル、出演者、解説文などである。
【００２４】
Ｓ２３においては、番組ＤＢの検索結果からヒットした各番組毎にＣＭの検索に必要な情報である時間情報および地域とチャンネルあるいは放送局の情報を抽出する。Ｓ２４においては、時間情報および地域とチャンネルあるいは放送局の情報を検索キーとしてＣＭＤＢを検索し、番組の放送時間内に放送されるＣＭを抽出する。
【００２５】
ＣＭＤＢには、現在から将来に渡るＣＭのデータが登録されている。ＣＭＤＢのデータ項目は、例えばＣＭタイトル、地域、チャネル、放送局、放送年月日、開始時刻、終了時刻、スポンサー会社名、商品名、ＣＭバージョン名、出演者、ＣＭと関連するＵＲＬ、ＣＭ画像などである。
【００２６】
Ｓ２５においては、Ｓ２２およびＳ２４の検索結果に基づき、番組検索結果表示ページデータを生成する。Ｓ２６においては、生成したページデータを携帯電話に送信する。図４（ｂ）は、携帯電話において表示される番組検索結果の表示画面例を示す説明図である。画面５５には放送時間や番組タイトル、番組の解説、出演者等の情報と共にＣＭの会社名５７、５８が表示されている。
【００２７】
番組の詳細情報を得たい場合には「詳細」５６を選択する。また、ＣＭの会社名５７、５８を選択（クリック）することにより、ＣＭの出演者やバージョンなどの情報、あるいはこのＣＭと関連するホームページのＵＲＬ等を得ることができる。Ｓ２７においては、処理終了か否かが判定され、判定結果が否定の場合にはＳ２１に戻る。
【００２８】
以上実施例を説明したが、本発明のには以下のような変形例も考えられる。ＣＭの詳細情報として、ＣＭ中の画像を切り出した静止画像を送信するようにしてもよい。実施例においては、番組内ＣＭを抽出する例を開示したが、番組間（番組の前後）のスポットＣＭも抽出するようにしてもよい。実施例においては、番組情報と同時にＣＭ情報も表示する例を開示したが、検索結果画面に「ＣＭ詳細」リンクを設け、当該リンクを選択するとＣＭ一覧表が表示されるようにしてもよい。
【産業上の利用可能性】
【００２９】
本発明は、携帯電話機等の携帯端末、サーバ装置、携帯電話網、インターネット等を含むデータ通信システム、情報処理システムの産業分野で利用可能である。
【図面の簡単な説明】
【００３０】
【図１】本発明の実施例のシステム全体を示す概略構成図である。
【図２】本実施の形態による携帯電話の内部構成例を示すブロック図である。
【図３】本実施の形態によるサーバの内部構成例を示すブロック図である。
【図４】携帯電話において表示される画面例を示す説明図である。
【図５】本発明の検索処理における処理内容を示すフローチャートである。
【符号の説明】
【００３１】
１…携帯電話（携帯端末）
２…サーバ
３…データベース
４…インターネット
５…携帯電話網
６…パケット網
７…ゲートウェイサーバ
９…基地局
【図１】
2005332197.tif 000003
【図２】
2005332197.tif 000004
【図３】
2005332197.tif 000005
【図４】
2005332197.tif 000006
【図５】
2005332197.tif 000007